(57)【特許請求の範囲】
【請求項１】
複数のパラメータを記憶するカレント記憶手段と、
前記カレント記憶手段に記憶された複数のパラメータに基づいて音響信号を処理する手段と、
ドキュメントを記憶するドキュメント記憶手段と、
タイムコード値に応じた、前記ドキュメント上の位置の変化を示すシーケンスを記憶するシーケンス記憶手段と、
現時点のタイムコードを取得する手段と、
ドットマトリクス表示を行なう表示器と、画面選択操作子と、パラメータを制御するパラメータ操作子と、ドキュメント表示のオンオフ操作子とを備えた操作パネルと、
前記画面選択操作子の操作に応じて、複数のパラメータ画面の中から１つの画面を選択し、選択された画面を前記表示器に表示させる第１画面制御手段と、
前記オンオフ操作子がオン操作されたときは、前記現時点のタイムコードと前記シーケンスとに基づいて、現時点において表示すべき前記ドキュメント上の位置を決定し、前記ドキュメントの当該位置のデータを前記表示器に表示させ、前記オンオフ操作子がオフ操作されたときは、そのオフ操作の前に当該オンオフ操作子がオン操作された直前に表示されていたパラメータ画面を前記表示器に表示させる第２画面制御手段と、
前記パラメータ操作子の操作に応じて、前記カレント記憶手段に記憶されている複数のパラメータのうちの少なくとも１つのパラメータ値を変更する手段と
を備えることを特徴とするドットマトリクス表示器を有するディジタルミキサ。
【請求項２】
複数のパラメータを記憶するカレント記憶手段と、
前記カレント記憶手段に記憶された複数のパラメータに基づいて音響信号を処理する手段と、
ドキュメントを記憶するドキュメント記憶手段と、
タイムコード値に応じた、前記ドキュメント上の位置の変化を示すシーケンスを記憶するシーケンス記憶手段と、
現時点のタイムコードを取得する手段と、
ドットマトリクス表示を行なう表示器と、画面選択操作子と、パラメータを制御するパラメータ操作子と、ドキュメント表示のオンオフ操作子と、自動追従モードのオン／オフを切り換える自動追従オンオフ操作子とを備えた操作パネルと、
前記画面選択操作子の操作に応じて、複数のパラメータ画面の中から１つの画面を選択し、選択された画面を前記表示器に表示させる第１画面制御手段と、
(a)前記オンオフ操作子がオン操作された場合、
(a-1)自動追従モードがオンされているときは、前記現時点のタイムコードと前記シーケンスとに基づいて、現時点において表示すべき前記ドキュメント上の位置を決定し、前記ドキュメントの当該位置のデータを前記表示器に表示させ、
(a-2)自動追従モードがオフされているときは、前記オンオフ操作子の前回のオフ操作の直前に表示器に表示されていた前記ドキュメントの当該位置のデータを前記表示器に表示させ、
(b)前記オンオフ操作子がオフ操作されたときは、そのオフ操作の前に当該オンオフ操作子がオン操作された直前に表示されていたパラメータ画面を前記表示器に表示させる第２画面制御手段と、
前記パラメータ操作子の操作に応じて、前記カレント記憶手段に記憶されている複数のパラメータのうちの少なくとも１つのパラメータ値を変更する手段と
を備えることを特徴とするドットマトリクス表示器を有するディジタルミキサ。
【請求項３】
請求項１または２に記載のドットマトリクス表示器を有するディジタルミキサにおいて、
前記操作パネル上にタイムコード位置操作子を設けると共に、
前記オンオフ操作子がオン操作されて前記表示器に前記ドキュメントが表示されている状態で、前記タイムコード位置操作子が操作されたとき、前記現時点のタイムコードと前記シーケンスとに基づいて、現時点において表示すべき前記ドキュメント上の位置を決定し、前記ドキュメントの当該位置のデータを前記表示器に表示させる第３画面制御手段を、さらに備えることを特徴とするドットマトリクス表示器を有するディジタルミキサ。
【請求項４】
請求項２に記載のドットマトリクス表示器を有するディジタルミキサにおいて、
前記オンオフ操作子がオン操作されて前記表示器に前記ドキュメントが表示されており、かつ、前記自動追従モードがオンされているときは、前記現時点のタイムコードが変更になる毎に、該現時点のタイムコードと前記シーケンスとに基づいて現時点において表示すべき前記ドキュメント上の位置が実際の現在の表示位置と異なるかを判定し、異なる場合は、表示位置を変更して再表示するドキュメント位置自動追従手段を、さらに備えることを特徴とするドットマトリクス表示器を有するディジタルミキサ。
【請求項５】
請求項１から４の何れか１つに記載のドットマトリクス表示器を有するディジタルミキサにおいて、
前記表示器に前記ドキュメントが表示されている場合、そのドキュメント中の任意の位置を表示するための表示位置変更手段を、さらに備えることを特徴とするドットマトリクス表示器を有するディジタルミキサ。
【請求項６】
複数のパラメータを記憶するカレント記憶手段と、
前記カレント記憶手段に記憶された複数のパラメータに基づいて音響信号を処理する手段と、
ドキュメントを記憶するドキュメント記憶手段と、
タイムコード値に応じた、前記ドキュメント上の位置の変化を示すシーケンスを記憶するシーケンス記憶手段と、
現時点のタイムコードを取得する手段と、
ドットマトリクス表示を行なう表示器と、画面選択操作子と、パラメータを制御するパラメータ操作子と、ドキュメント表示のオンオフ操作子と、タイムコード位置操作子とを備えた操作パネルと、
前記画面選択操作子の操作に応じて、複数のパラメータ画面の中から１つの画面を選択し、選択された画面を前記表示器に表示させる第１画面制御手段と、
前記オンオフ操作子がオン操作されたときは、当該オンオフ操作子が前回オフ操作される直前に表示されていた前記ドキュメントの位置のデータを表示させ、前記オンオフ操作子がオフ操作されたときは、当該オンオフ操作子が前回オン操作される直前に表示されていたパラメータ画面を前記表示器に表示させる第２画面制御手段と、
前記オンオフ操作子がオン操作されて前記表示器に前記ドキュメントが表示されている状態で、前記タイムコード位置操作子が操作されたとき、前記現時点のタイムコードと前記シーケンスとに基づいて、現時点において表示すべき前記ドキュメント上の位置を決定し、前記ドキュメントの当該位置のデータを前記表示器に表示させる第３画面制御手段と、
前記パラメータ操作子の操作に応じて、前記カレント記憶手段に記憶されている複数のパラメータのうちの少なくとも１つのパラメータ値を変更する手段と
を備えることを特徴とするドットマトリクス表示器を有するディジタルミキサ。
【発明の詳細な説明】
【技術分野】
【０００１】
この発明は、ドットマトリクス表示器を有するディジタルミキサに関し、特に所定のドキュメントを見ながらミキサ操作するのに好適なディジタルミキサに関する。
【背景技術】
【０００２】
従来より、マイクロフォンなどの各種の音響信号源からの音響信号を入力し、ミキシング処理、効果付与処理、及び音量レベル制御処理などを行い、処理後の音響信号をアンプやスピーカなどの各種の出力機器に出力するミキサ装置が知られている。近年では、内部的な信号処理をディジタル処理で行うディジタルミキサが開発されている。
【０００３】
ディジタルミキサの基本動作は以下のようなものである。まず、外部から入力する複数の信号を複数の入力ｃｈ（チャンネル）に入力し、各入力ｃｈ毎にその信号の特性を制御して、複数のバスのうちの所望のバスに出力する。複数のバスでは、それぞれ、入力する信号を混合して、各バスに対応した出力ｃｈに出力する。複数の出力ｃｈでは、それぞれ、入力する信号の特性を制御して外部に出力する。操作パネルには、ミキサの全パラメータ（複数の入力ｃｈ、出力ｃｈ、その他エフェクタなどの多数のパラメータ）数と比較して、少ない数の操作子が用意されており、その多数のパラメータのうちからユーザにより選択されたパラメータがそれらの操作子に割り当てられる。操作子の操作に応じて、当該操作子に割当てられているパラメータ値が制御される。
【０００４】
ディジタルミキサは、パラメータ画面やその他の設定画面を表示するためのドットマトリクス表示器（以下、ＤＭ表示器という）を備えている。ユーザは、画面選択操作子を操作して、ＤＭ表示器に自分が確認したり設定したいパラメータ画面を表示させ、その画面を見て各種の設定値を確認したり、その画面を見ながら操作子を操作して各種の設定値の変更を行う。
【０００５】
上述したディジタルミキサの動作を規定する各種のパラメータはカレントメモリに保存され、逆に言えばカレントメモリ上のパラメータ値に基づいてディジタルミキサの動作が規定される。さらに、ディジタルミキサは、複数のシーン（シーンデータ）を格納するシーンメモリを備えている。そして、カレントメモリ上のパラメータ値を１つのシーンとしてシーン番号を付けてシーンメモリに格納（ストア）することができる。また、シーン番号を指定して、シーンメモリからカレントメモリに当該シーンのパラメータ値を呼び出す（リコール）ことができる。
【０００６】
上述したディジタルミキサではタイムコードベースの動作が行われる。すなわち、別の機器から供給される、ないし、ミキサ内部で発生したタイムコードを、時刻の基準として、各種動作を行っている。例えば音響支援用ミキサでは、タイムコードの値とそのタイムコードの時点でリコールするシーンとを登録したイベントリストを予め作成しておき、タイムコードが進むに連れてシーンを自動的に切り換えていく機能を持つものがある（非特許文献１，２参照）。また、音楽製作用ミキサでは、タイムコードに応じて、シーンの選択だけでなく、任意のパラメータの値を変化させることができる、いわゆるオートミックスの機能を持つものがある。
【非特許文献１】「CS1D CONTROL SURFACE 取扱説明書」P.33-35、ヤマハ株式会社、２００２年
【非特許文献２】「PM5D DIGITAL MIXING CONSOLE  取扱説明書」P.157-160、ヤマハ株式会社、２００４年
【発明の開示】
【発明が解決しようとする課題】
【０００７】
このようなミキサの操作者は、紙に書かれたドキュメント（進行表など）を参照しながら作業を行うのが通常である。例えば、イベント、コンサート、演劇、レコーディングでは、ミキサの操作者は、スケジュール表、台本、歌詞カード、楽譜などの冊子やカードをミキサの近傍に用意し、それで作業の進行を確認しながら操作を行っていた。
【０００８】
しかし、上記演劇などでは予め決められたタイムスケジュール通りに進むとは限らず、動作の基準時刻となっているタイムコードを変更しなければならないことがある。タイムコード位置が変更された場合には、それに応じてドキュメント上の位置を探しなおさなければならないという不都合があった。
【０００９】
この発明は、ドットマトリクス表示器を有するディジタルミキサにおいて、当該ドットマトリクス表示器に進行表などの所定のドキュメントを表示できるようにするとともに、タイムコードが変更された場合でもそのタイムコードに応じた位置で当該ドキュメントを容易に参照できるようにすることを目的とする。また、そのようなドキュメントの表示とミキサの各種パラメータ設定の画面表示とを簡単に切り換えつつ作業を進めることができるようにすることを目的とする。
【課題を解決するための手段】
【００１０】
この目的を達成するため、この発明は、タイムコード値に応じた、前記ドキュメント上の位置の変化を示すシーケンスを記憶するようにし、操作パネル上のオンオフ操作子がオン操作されたときは、現時点のタイムコードと前記シーケンスとに基づいて、現時点において表示すべきドキュメント上の位置を決定し、ドキュメントの当該位置のデータを表示器に表示させ、オンオフ操作子がオフ操作されたときは、そのオフ操作の前に当該オンオフ操作子がオン操作された直前に表示されていたパラメータ画面を表示器に表示させることを特徴とする。パラメータ画面については、画面選択操作子の操作に応じて複数のパラメータ画面の中から１つの画面を選択し、選択された画面を表示器に表示させることができるようにする。
【００１１】
自動追従モードのオン／オフを切り換える自動追従オンオフ操作子を設けて、自動追従モードがオンされているときは、現時点のタイムコードと前記シーケンスとに基づいて、現時点において表示すべきドキュメント上の位置を決定し、ドキュメントの当該位置のデータを表示器に表示させ、自動追従モードがオフされているときは、オンオフ操作子の前回のオフ操作の直前に表示器に表示されていたドキュメントの当該位置のデータを表示器に表示させるようにしてもよい。
【００１２】
さらに、タイムコード位置操作子を設け、オンオフ操作子がオン操作されて表示器に前記ドキュメントが表示されている状態で、前記タイムコード位置操作子が操作されたとき、現時点のタイムコードと前記シーケンスとに基づいて、現時点において表示すべき前記ドキュメント上の位置を決定し、前記ドキュメントの当該位置のデータを表示器に表示させるようにしてもよい。
【００１３】
オンオフ操作子がオン操作されて表示器に前記ドキュメントが表示されており、かつ、前記自動追従モードがオンされているときは、現時点のタイムコードが変更になる毎に、該現時点のタイムコードと前記シーケンスとに基づいて現時点において表示すべき前記ドキュメント上の位置が実際の現在の表示位置と異なるかを判定し、異なる場合は、表示位置を変更して再表示するようにする。
【００１４】
前記表示器に前記ドキュメントが表示されている場合、そのドキュメント中の任意の位置を表示するための表示位置変更手段を、さらに備えてもよい。
【発明の効果】
【００１５】
この発明によれば、オンオフ操作子をオンしている間だけ、ドキュメントの、現在のタイムコードに対応する位置の情報を表示器に表示させることができる。従って、操作者は時間の進行に応じて参照すべきドキュメントの位置を、特別な操作無しで参照できる。オンオフ操作子をオフすれば、表示器に表示される画面を、画面選択操作子により直前に選択されていたパラメータ画面に、直ちに戻すことができる。従って、パラメータ画面を参照しながらのパラメータの設定変更は、操作者の所望の通りにいつでも行うことができる。さらに、自動追従モードオンのときは、リアルタイムに進行する現時点のタイムコードに応じた位置が自動的に表示されるので、操作者はドキュメントの表示位置を変更する操作を行う必要がない。ドキュメントが表示されているときは、表示位置変更手段（スクロールなど）で任意の位置を参照することもできる。
【発明を実施するための最良の形態】
【００１６】
以下、図面を用いてこの発明の実施の形態について説明する。
【００１７】
図１は、この発明の一実施形態に係るＤＭ表示器を有するディジタルミキサのブロック構成図である。このミキサ１００は、中央処理装置（ＣＰＵ）１０１、フラッシュメモリ１０２、ランダムアクセスメモリ（ＲＡＭ）１０３、その他Ｉ／Ｏ（入出力インターフェース）１０４、表示器１０５、電動フェーダ１０６、操作子１０７、タイムコードＩ／Ｏ１０８、波形Ｉ／Ｏ１０９、信号処理部１１０、およびバスライン１１１を備える。
【００１８】
ＣＰＵ１０１は、このミキサの全体の動作を制御する処理装置である。フラッシュメモリ１０２は、ＣＰＵ１０１が実行する各種の制御プログラムや処理に使用する各種のデータなどを格納した不揮発性メモリ（書き換えが可能で、電源を切っても記憶された情報が失われないもの）である。ＲＡＭ１０３は、ＣＰＵ１０１が実行するプログラムのロード領域やワーク領域に使用する揮発性メモリである。その他Ｉ／Ｏ１０４は、本ミキサを外部からコントロールするコンピュータなどの各種の外部機器を接続するためのインターフェースである。表示器１０５は、このミキサの外部パネル上に設けられた各種の情報を表示するためのドットマトリクス方式のディスプレイである。電動フェーダ１０６は、このミキサの外部パネル上に設けられた各種パラメータの値設定用の操作子である。操作子１０７は、このミキサの外部パネル上に設けられた各種の操作子である。
【００１９】
１２０はこのミキサ１００と接続されているマルチトラックレコーダである。マルチトラックレコーダ１２０は、ハードディスクなどの記録装置を備え、複数トラックの同時録音及び同時再生が可能なものである。波形Ｉ／Ｏ１０９は、マルチトラックレコーダ１２０やその他の入出力機器（例えば、マイクロフォンなどの入力機器から入力したアナログ音響信号をアナログ／ディジタル変換して入力するＡＤ変換カードや、本ミキサから出力されるディジタル音響信号をディジタル／アナログ変換してサウンドシステムに出力するＤＡ変換カードなど）との間の入出力インターフェースである。信号処理部１１０は、波形Ｉ／Ｏ１０９経由で入力したディジタル音響信号を複数の入力ｃｈ（チャンネル）に任意に割当て、複数のミキシングバスにより各入力ｃｈの音響信号を任意にミキシングし、出力ｃｈ経由で出力する処理を行うＤＳＰ（ディジタル信号処理装置）である。各入力ｃｈや出力ｃｈでは、フェーダ１０６を用いた音量レベル設定、周波数特性の制御、各種波形変形処理、及び効果付与処理などを行うことができる。これにより、マイクなどの入力機器から入力した音響信号に対しＤＳＰ１１０でミキシング・レベル設定・効果付与などの処理を施しマルチトラックレコーダ１２０の所定のトラックに録音したり、マルチトラックレコーダ１２０の所定のトラックを再生しながらＤＳＰ１１０で処理した後別のトラックへ録音したり、マルチトラックレコーダ１２０の所定のトラックを再生しＤＳＰ１１０で処理した後放音する、などの処理が可能である。
【００２０】
タイムコードＩ／Ｏ１０８は、マルチトラックレコーダ１２０から出力されるタイムコードを入力するインターフェースである。タイムコードは、ミキサ１００とレコーダ１２０との同期を取るための時間情報であり、ここでは、「時間：分：秒．フレーム」のようにコロンとピリオドで区切って表記する。以下、レコーダ１２０から入力した現時点のタイムコードを「現タイムコードＴＣ」と呼ぶ。なお、本実施形態ではレコーダ１２０からのタイムコードで同期を取るようにしているが、ミキサ１００内部で生成されるタイムコードを用いてもよい。
【００２１】
図２は、図１のディジタルミキサ１００の外部パネル上の外観を示す。２０１は１０個の画面選択スイッチ、２０２はドットマトリクス表示部、２０３は割当ｃｈストリップ部、２１１〜２１４は上下左右のカーソル移動ボタン、２１５はＤＥＣボタン、２１６はＩＮＣボタン、２１７はエンターキー、２１８はホイールである。割当ｃｈストリップ部２０３は、８本の割当ｃｈストリップ２０３−１〜２０３−８を備える。１本の割当ｃｈストリップ（例えば、２０３−１）は、電動フェーダ２３１、ＯＮスイッチ２３２、ＳＥＬスイッチ２３３、及びロータリエンコーダ２３４を備える。他の割当ｃｈストリップ２０３−２〜２０３−８も同様の構成である。
【００２２】
画面選択スイッチ２０１のうち何れかをオンすると、そのスイッチに対応する画面が表示され、割当ｃｈストリップ２０３−１〜２０３−８は、表示された画面に応じた機能に割り当てられる。具体的に言えば、画面選択スイッチ２０１は、第１〜第８入力ｃｈ選択スイッチ、第９〜第１６入力ｃｈ選択スイッチ、…、あるいは第１〜第８出力ｃｈ選択スイッチなどを含む。第１〜第８入力ｃｈ選択スイッチをオンすると、第１〜第８入力ｃｈのパラメータ設定状況が表示部２０２に表示される。そのときの画面を「グループ画面」と呼ぶ。第１〜第８入力ｃｈのグループ画面が表示されているとき、各割当ｃｈストリップ２０３−１〜２０３−８はそれぞれ第１〜第８入力ｃｈのパラメータ設定を行う操作子として割り当てられる。同様に、第９〜第１６入力ｃｈ選択スイッチをオンすると、第９〜第１６入力ｃｈのグループ画面が表示され、各割当ｃｈストリップ２０３−１〜２０３−８は第９〜第１６入力ｃｈに割り当てられる。画面選択スイッチ２０１の他のスイッチについても同様である。
【００２３】
割当ｃｈストリップ内の操作子２３１〜２３４について説明する。電動フェーダ２３１は、その割当ｃｈストリップに割り当てられたｃｈのレベル制御用のフェーダである。ＯＮスイッチ２３２は、当該ｃｈの信号のオン／オフを切り替えるスイッチである。ＳＥＬスイッチ２３３は、当該ｃｈに関する詳細なパラメータ設定を行う画面（「詳細パラメータ設定画面」と呼ぶ）を表示することを指示するスイッチである。ＳＥＬスイッチ２３３を押下して詳細パラメータ設定画面を表示した後、再度同じＳＥＬスイッチ２３３を押下すると、元のグループ画面が再表示される。ロータリエンコーダ２３４は、グループ画面中に表示されているパラメータのうち選択状態にある所定のパラメータの値を変更するためのものである。
【００２４】
グループ画面及び詳細パラメータ設定画面のどちらも、画面上にはカーソルが表示されている。カーソルがセットされているパラメータが、選択状態のパラメータである。カーソル移動ボタン２１１〜２１４を用いて、画面上に表示されているカーソルを所望のパラメータにセットし、ＤＥＣボタン２１５、ＩＮＣボタン２１６、及びホイール２１８を操作して、そのパラメータの値を変更し、エンターキー２１７で決定することができる。
【００２５】
なお、上述したように画面選択スイッチ２０１により１つのグループ画面が選択されたときにはそのグループ画面で表示している８つのｃｈが割当ｃｈストリップ２０３−１〜２０３−８に割当てられるが、そのグループ画面から詳細パラメータ設定画面に切り換えたとしても、割当ｃｈストリップ２０３−１〜２０３−８の操作子は直前に表示されていたグループ画面におけるのと同様に機能する。詳細パラメータ設定画面に切り換えてもグループ画面におけるパラメータの選択状態は内部的に記憶しているので、ロータリエンコーダ２３４は、直前に表示されていたグループ画面で選択されていたパラメータの値を変更する操作子として機能する。また、詳細パラメータ設定画面についても同様であり、詳細パラメータ設定画面においてパラメータ変更を行うための不図示の操作子は、画面が切り換えられても有効に機能するものである。
【００２６】
以上のように、画面選択スイッチ２０１により画面を切り換え、割当ｃｈストリップの機能をその画面に応じて切り換えながら各ｃｈに関するパラメータ設定を行い、あるいは、表示画面中のパラメータの選択状態を切り換えながら操作子２１５〜２１８，２３４を当該選択状態のパラメータを変更する操作子として機能させるので、ミキサの全パラメータ数と比較して少ない数の操作子により全てのパラメータ値の制御を行うことができる。
【００２７】
次に、シーンに関連する操作子等２２１〜２２５について説明する。シーン（シーンデータ）とは、ミキサの設定状態を規定するパラメータデータ（例えば、入力ラインと入力ｃｈとの結線状態、出力ｃｈと出力ラインとの結線状態、各ｃｈにおけるパラメータ設定状態など）の組合せである。本ミキサはカレントメモリを備えており、カレントメモリ上のパラメータ設定状態に基づいて動作する。また、本ミキサはシーンメモリ（ミキサの電源をオフしても記憶内容が消えないもの）を備えており、カレントメモリ上のパラメータデータは、シーン番号を付けてシーンメモリに保存（ストア）し、逆にシーン番号を特定してシーンメモリからカレントメモリにシーンを呼び出す（リコール）ことができる。具体的には、アップボタン２２３及びダウンボタン２２４を用いてシーン番号表示部２２１に表示されるシーン番号を変更し、リコールボタン２２５を押下することによりその番号のシーンをリコールする。また、シーン番号を特定してストアボタン２２２を押下することにより、現在のカレントメモリ上のパラメータ設定状態を、そのシーン番号のシーンとしてストアする。シーン番号表示部２２１は、通常は、現在カレントメモリ上に呼び出されているシーンの番号を表示する。なお、後述するイベントリストに応じてシーンが自動的に切り換えられていくとき、シーン番号表示部２２１の表示も切り換わるものとする。
【００２８】
次に、イベントリストに基づくシーンリコールの際に使用するＮＥＸＴボタン２４１とＰＲＥＶボタン２４２について説明する。本ミキサは、イベントリスト（以下、「Ｅリスト」と呼ぶ。その詳細は図３（ａ）で説明する。）にシーンを順番に登録しておき、予め設定したタイムコード（あるいは自動呼び出しするシーン間の間隔であるインターバルを予め設定しておく方式でもよい）のタイミングで自動的にシーンリコールする機能を備えている。これにより、演劇、コンサート、レコーディングなどにおいて時間軸に沿った自動的なミキサの設定が行える。一方、上述の演劇等ではマニュアルでシーンを切り換えたい場合もあるので、Ｅリスト中にタイムコードの代わりにマニュアル操作で呼び出す旨を指定してシーン番号を設定できるようにしている。Ｅリストに沿って時間の経過に従ってシーンを順番にリコールしていく際に、当該Ｅリスト中にマニュアル操作のシーン番号が出現したときには、その時点でシーンリコールせずに待ち状態となり、ＮＥＸＴボタン２４１が押下されたタイミングで当該シーン番号のシーンをリコールする。また、シーンを戻したいこともあるので、ＰＲＥＶボタン２４２を備えている。ＰＲＥＶボタン２４２を押下すると、Ｅリスト中の１つ前のシーンの設定状態（すなわち、最後にリコールしたイベントの１つ前の行のイベントがリコールされ、そのイベントが選択状態となる）に戻る。
【００２９】
次に、ドキュメント表示機能において使用するボタン２５１〜２５５について説明する。通常、ミキサの操作者は、進行表（例えば、イベントのスケジュール表、演劇の台本、コンサートやレコーディングにおける歌詞カードや楽譜など）を見ながらミキサの操作を行う。本ミキサは、表示部２０２にそのような進行表を表示するドキュメント表示機能を備えている。
【００３０】
ＤＯＣ表示ボタン２５１は、押下される毎にオン／オフを切り換えるボタンとなっており、オンのとき表示部２０２には予め指定されているドキュメント（上述した進行表など）が表示され、オフのとき通常のパラメータ画面（上述したグループ画面や詳細パラメータ設定画面などであって、ＤＯＣ表示ボタン２５１をオンする直前に表示されていたもの）が表示される。ボタン２５２〜２５５は、ドキュメント表示中のみ有効なボタンである。ドキュメント表示中であってもパラメータ変更のための操作子（各割当ｃｈストリップ２０３−１〜２０３−８の操作子２３１〜２３４など）は有効であり、これらの操作子を操作することにより、直前に表示されていたパラメータ画面（グループ画面または詳細パラメータ設定画面）で当該操作子が操作されたのと同様にパラメータ値の変更が行える。
【００３１】
自動追従ボタン２５２は、押下する毎に自動追従モードのオン／オフを切り換えるボタンである。自動追従モードがオンのとき、表示部２０２に表示されるドキュメントは、自動的にその時点の現タイムコードＴＣに応じた位置に位置付けられて表示される。タイムコードとドキュメントの表示位置との関係は予めドキュメントシーケンス（以下、「Ｄシーケンス」と呼ぶ。その構造は図３（ｂ）で説明する。）に設定しておく。自動追従モードがオフのときは、上記の自動追従の処理を行わない。
【００３２】
ＴＣ位置ボタン２５３は、その時点の現タイムコードＴＣと予め決められているＤシーケンスに基づいて、現時点において表示すべき位置でドキュメントを再表示することを指示するボタンである。上述の自動追従ボタン２５２がオフされている場合でも、ＴＣ位置ボタン２５３を押下すれば、その時点で表示すべき位置でドキュメントが再表示される。なお、ＴＣ位置ボタン２５３を廃止し、代わりに次に説明するアップボタン２５４及びダウンボタン２５５の同時押しにより、ＴＣ位置ボタン２５３の機能を実現させても良い。
【００３３】
アップボタン２５４及びダウンボタン２５５は、表示部２０２に表示されているドキュメントを上スクロール及び下スクロールするボタンである。なお、ボタン２５２〜２５５は、パネル上に設ける代わりに、表示部２０２に表示したボタンとしてもよい。この場合は、表示部２０２を、タッチスクリーンにしたり、タッチパッドやマウスなどを用いて表示上のボタンを押下することができるようにする。
【００３４】
図３（ａ）は、上述のＥリストの例を示す。Ｅリストは、Ｎｏ．３０１、タイムコード３０２、及びシーン３０３の各フィールドを持つテーブルである。Ｎｏ．３０１は、登録する各イベントの通し番号を示す。タイムコード３０２は、処理開始時を０とした相対的な時間（「時間：分：秒．フレーム」で表記）を示す。シーン３０３は、対応するタイムコード３０２の時点でリコールすべきシーン番号及びシーン名（ユーザが任意につけられる）を示す。ＥＤ３０４は、Ｅリストのイベントを指すポインタであり、常に次に呼び出すべきシーンのイベントを指すように用いられる。ＥＤ３０４が指すイベントが選択状態のイベントである。図示したＥリストの例では、タイムコード＝00:00:00.00の時点でシーン001:Moniをリコールし、次にタイムコード＝00:00:38.02の時点でシーン002:St PAをリコールし、…というようにシーンが切り換わる。Ｎｏ．３０１が002や005のイベントは、タイムコード３０２が[manual]となっているが、これはマニュアル操作で対応するシーンをリコールすることを示す。すなわち、Ｎｏ.001のイベントでシーン002:St PAが呼び出された後、ポインタＥＤ３０４は次のＮｏ.002のイベントを指すようにセットされるが、このイベントは[manual]であるので待ち状態に入る。操作者がＮＥＸＴボタン２４１を押下したとき、当該イベントのシーン003:Ho PAが呼び出され、ポインタＥＤ３０４が次に進む。
【００３５】
なお、図３（ａ）はＥリストの内部的なテーブル構造を示すが、Ｅリストにイベントを設定する際には、所定の操作により図３（ａ）に示すような表を画面上に表示し、操作者がタイムコード３０２とシーン３０３を任意に設定するものとする。また、Ｅリストのオン／オフ（Ｅリストがオンのとき、上述のタイムコードに応じたシーンの自動切り換えを行う）は所定の操作で切り換えることができるものとする。Ｅリストがオンの場合は、所定の操作により図３（ａ）に示すようなＥリストの表を表示することができる。この場合、タイムコードの進行に応じてポインタＥＤ３０４が進んで行くが、選択状態のイベントが表の表示範囲の中央付近に位置するように表示するものとする。また、ここではタイムコードに応じてシーンを自動切り換えする機能を説明したが、タイムコードに応じて任意のパラメータの値を変化させる、いわゆるオートミックスの機能も、同様にして実現できる。
【００３６】
図３（ｂ）は、上述のＤシーケンスの例を示す。Ｄシーケンスは、Ｎｏ．３１１、タイムコード３１２、及びドキュメント位置３１３の各フィールドを持つテーブルである。Ｎｏ．３１１は、登録する各イベントの通し番号を示す。タイムコード３１２は、処理開始時を０とした相対的な時間（「時間：分：秒．フレーム」で表記）を示す。ドキュメント位置３１３は、対応するタイムコード３１２に到ったとき表示すべきドキュメントの位置を示す。なお、表示するドキュメントは予め決定しておくものとする（ここではBino.pdf）。図示したＤシーケンスの例では、タイムコード＝00:00:00.00の時点でP001:L003（ページ001の003行を示す。以下同様である。）の位置を表示し、タイムコード＝00:00:30.32でP001:L030の位置を表示し、…というようにBino.pdfの表示位置が切り換わる。
【００３７】
なお、図３（ｂ）はＤリストの内部的なテーブル構造を示すが、Ｄリストにイベントを設定する際には、所定の操作により図３（ｂ）に示すような表を画面上に表示し、操作者がタイムコード３１２とドキュメント位置３１３の欄を任意に設定するものとする。このときドキュメント位置３１３の各欄の右側には下向き三角印のボタン３１４が表示される。このボタン３１４を押すと、予め表示すべきものとして指定されているドキュメントが画面表示され、カーソルを所望の位置に移動して所定の操作を行うことにより、その位置のページ番号と行番号が当該ドキュメント位置３１３の欄に入力できる。
【００３８】
ここでは、表示するドキュメントとしてＰＤＦ形式のファイルを用いその位置はページ番号と行番号で指定したが、他の形式のファイルで他の位置指定方式を用いてもよい。例えば、テキスト形式のドキュメントであれば、３２１に示すように行番号で位置を指定する。ＨＴＭＬ形式のドキュメントであれば、３２２に示すようにアンカー名で位置を指定する。複数のファイルに跨るドキュメントの場合は、３２３に示すように文書名と当該文書内の位置とで指定する。また、複数のＨＴＭＬ文書に跨るドキュメントの場合は、３２４に示すようにパス名とアンカー名で位置を指定する。なお、各ＨＴＭＬ文書に他のＨＴＭＬ文書へのリンクを埋め込んでもよい。
【００３９】
図４（ａ）は、図２のＮＥＸＴボタン２４１を押下したときに実行されるＮＥＸＴボタンオンイベント処理のフローチャートである。ステップ４０１で、図３（ａ）で説明したＥリストの現ポインタＥＤ３０４が指すイベントを再生（すなわち当該イベントのシーン３０３をリコール）する。ステップ４０２で、現ポインタＥＤ３０４が１つ後のイベントを指すように更新し、そのイベントを読み出しておく。ステップ４０３で、Ｅリストが画面表示中なら、現ポインタＥＤ３０４が指すイベントが選択状態のイベントとして画面の中央に来るように表示を更新する。
【００４０】
図４（ｂ）は、図２のＰＲＥＶボタン２４２が押下されたときに実行されるＰＲＥＶボタンオンイベントのフローチャートである。ステップ４１１で、現ポインタＥＤ３０４を、現在指しているイベントから２つ前のイベントを指すように移動する。ステップ４１２では、図４（ａ）で説明したＮＥＸＴボタンオンイベントと同じ処理を実行する。ステップ４１１を実行する前の状態では、現ポインタＥＤ３０４が指しているイベントの１つ前のイベントが最後にリコールしたイベントであるので、さらにその１つ前のイベントを指すようにステップ４１２で現ポインタＥＤ３０４を移動し、そのイベントを実行してミキサの設定状態を１つ前のシーンに戻すものである。現ポインタＥＤ３０４は、図４（ｂ）の処理に入る前に指していた位置から１つ前のイベントを指し、当該イベントが再生されるのを待っている状態となる。
【００４１】
図４（ｃ）は、図２のＤＯＣ表示ボタン２５１がオンされたときに実行されるＤＯＣ表示ボタンオンイベントのフローチャートである。ステップ４２１で、現在ドキュメント表示中であるか判定する。表示中であれば、ステップ４２２で、ドキュメント表示に入る直前の画面を表示し、処理を終了する。ドキュメント表示中でなければ、自動追従オン状態であるか判定し、そうでなければ、ステップ４２４で前回のドキュメント表示で表示されていた最後の表示位置を再表示して終了する。自動追従オンのときは、ステップ４２５で、入力した最新の現タイムコードＴＣと図３（ｂ）で説明したＤシーケンスに基づき、表示すべきドキュメント位置を決定し、ステップ４２６で、決定された位置のドキュメントを表示して、終了する。
【００４２】
図４（ｄ）は、図２のＴＣ位置ボタン２５３がオンされたとき実行されるＴＣ位置ボタンオンイベント処理のフローチャートである。ステップ４３１で、現在ドキュメント表示中であるか判定し、そうでなければそのまま終了する。ドキュメント表示中のときは、ステップ４３２で、入力した最新の現タイムコードＴＣと図３（ｂ）のＤシーケンスに基づき、表示すべきドキュメント位置を決定する。ステップ４３３で、その位置が現在表示されているドキュメント位置と異なる場合は、ステップ４３４で決定された位置のドキュメントを表示して終了する。現在表示されている位置と同じであるときは、ステップ４３３からそのまま終了する。
【００４３】
図５（ａ）は、ローケート（Locate）命令が入力されたときに実行されるローケート入力イベント処理のフローチャートである。ローケート命令は、現タイムコードＴＣの値を、指定した値に設定することを指示する命令である。ステップ５０１で、図３（ａ）のＥリストがオン（タイムコードに従ってシーンを自動切り換えする状態）かどうか判定する。Ｅリストオフのときは、そのままステップ５０５に進む。Ｅリストオンのときは、ステップ５０２でＥリストを参照し、入力した現タイムコードＴＣ位置の直前のイベントを決定する。ステップ５０３で、当該イベントを指すように現ポインタＥＤを移動し、ステップ５０４でＮＥＸＴボタンオンイベント（図４（ａ））と同じ処理を行い、ステップ５０５に進む。ステップ５０５では、図５（ｃ）の自動追従処理を行う。
【００４４】
上述したように本実施形態のミキサは、レコーダ１２０から出力されるタイムコードを現タイムコードＴＣとし、この値に基づいて動作する。レコーダまたはミキサでローケートが実行されると、指定された位置が相互に伝達され、レコーダでは、各トラックについてそのタイムコード位置の再生開始準備が行われ、ミキサでは、上記図５（ａ）の処理によりＥリスト位置とＤシーケンス位置などがそのタイムコード位置に設定される。その後、録音または再生の開始が指示されると、レコーダは、録音または再生処理を開始しその録音または再生の現在位置を示すタイムコードを出力する。ミキサは、これを現タイムコードＴＣとして入力する。
【００４５】
図５（ｂ）は、現タイムコードＴＣが入力されたときに実行されるＴＣ入力イベント処理のフローチャートである。この処理は、例えば所定時間間隔で現タイムコードＴＣが入力される毎に実行される。ステップ５１１で、Ｅリストがオンされているか判別する。そうでないときはステップ５１５に進む。Ｅリストオンのときは、ステップ５１２で、入力した現タイムコードＴＣとＥリストに基づき、現ポインタＥＤ３０４以降のイベント（現ポインタＥＤ３０４が指すイベントを含む）で、かつ、入力した現タイムコードＴＣ以下のタイムコード３１２を持つイベントを、Ｅリストから検出する。ステップ５１３で、そのようなイベントの有無を判別し、無いときはステップ５１５に進む。有るときは、ステップ５１４で、ＮＥＸＴボタンオンイベントと同じ処理を繰り返し、ステップ５１２で検出された全てのイベントを実行し、ステップ５１５に進む。ステップ５１５では、図５（ｃ）の自動追従処理を行う。これにより、現ポインタＥＤが指すイベント以降で、タイムコード３０２の値が、入力したタイムコードＴＣの値以下であるようなイベントが全て実行され、次に実行されるべきイベントの位置に現ポインタＥＤ３０４が位置付けられることになる。
【００４６】
図５（ｃ）は、ステップ５０５，５１５で実行される自動追従処理のフローチャートである。ステップ５２１で自動追従モードがオンされているか判定し、オフのときはそのまま終了する。自動追従モードオンのときは、ステップ５２２で、入力した現タイムコードＴＣの位置と図３（ｂ）で説明したＤシーケンスに基づき、現時点で表示すべきドキュメント位置を決定する。ステップ５２３で、決定した位置が現在表示されているドキュメント位置と異なるか判定し、異なるときは、ステップ５２４で、決定された位置のドキュメントを表示し終了する。決定したドキュメント位置と同じ位置が表示されているときは、そのまま終了する。例えば図３（ｂ）の例で説明すると、タイムコード＝00:00:00.00の時点でP001:L003の位置が表示され、タイムコード＝00:00:30.32になるまではその表示が維持され、タイムコード＝00:00:30.32になったときP001:L030の位置が表示され、…というように表示位置が切り換わる。
【００４７】
上記実施形態のミキサによれば、自動追従モードにより常に現タイムコードの値に応じた位置で所定のドキュメントを表示できるので、操作者は、特別な操作をしなくても、時間の進行に応じて参照すべきドキュメント位置を参照することができる。ドキュメントの表示とパラメータ画面との切り換えは、ＤＯＣ表示ボタン２５１の押下だけで行えるので、パラメータの制御操作がし難くなることはない。また、ドキュメントはスクロールボタン２５４，２５５によりスクロールすることができるので、任意の位置を容易に参照できる。ＴＣ位置ボタン２５３を備えているので、現タイムコードに応じた位置の再表示も容易である。
【００４８】
なお、上記実施形態においては自動追従ボタン２５２により自動追従モードのオン／オフができるようにしているが、ボタン２５２を無くし、常に自動追従モードオンとして動作させるようにしてもよい。また、自動追従の機能を無くしても良い。自動追従の機能を無くしても、ＤＯＣ表示ボタン２５１でドキュメント表示した後、すぐにＴＣ位置ボタン２５３をオンすれば現タイムコードに応じた位置でドキュメントを参照できる。また、上記実施形態ではマルチトラックレコーダ１２０から出力されるタイムコードを利用したが、その代りに、ビデオレコーダやタイムコード発生用専用器など、タイムコードを出力する機能を持つ任意の装置のタイムコードを利用してもよい。さらに、上記実施形態ではオートメーション機能はＥリストによるものであったが、Ｅリストの代りにオートミックスであってもよい。
【図面の簡単な説明】
【００４９】
【図１】実施形態のディジタルミキサのブロック構成図
【図２】本ディジタルミキサのパネル外観図
【図３】本ディジタルミキサのテーブル構成例を示す図
【図４】本ディジタルミキサの処理を示すフローチャート（その１）図
【図５】本ディジタルミキサの処理を示すフローチャート（その２）図
【符号の説明】
【００５０】
１００…ディジタルミキサ、１０１…ＣＰＵ、１０２…フラッシュメモリ、１０３…ＲＡＭ、１０４…その他Ｉ／Ｏ、１０５…表示器、１０６…電動フェーダ、１０７…操作子、１０８…タイムコードＩ／Ｏ、１０９…波形Ｉ／Ｏ、１１０…信号処理部（ＤＳＰ）、１１１…バスライン、１２０…マルチトラックレコーダ。
【図１】
0004678594.tif 000002
【図２】
0004678594.tif 000003
【図３】
0004678594.tif 000004
【図４】
0004678594.tif 000005
【図５】
0004678594.tif 000006